(57)【要約】【課題】コネクタハウジングから導出する電線外径や数量が変わっても、電線外径や数量に相応した断面積の電線曲げ空間を前記コネクタハウジングの後方に確保することができ、前記電線曲げ空間の過不足によって電線や端子金具が傷付くことを防止することができるコネクタカバーを提供すること。【解決手段】コネクタハウジング２０の後端２１に取り付けられて電線４０の導出方向を規制するコネクタカバー１であって、コネクタハウジング２０の後端２１に固定されるハウジング固定部材２１０と、ハウジング固定部材２１０における電線挿通方向に沿って移動可能にハウジング固定部材２１０の後端に結合されて、電線挿通方向への移動によって拡縮可能な電線曲げ空間２３０をハウジング固定部材２１０との間に画成する電線案内部材２２０と、を備える。【選択図】図１０
2013110025.tif 000002
【特許請求の範囲】
【請求項１】
コネクタハウジングの後端に取り付けられて、前記コネクタハウジングの後端から導出される電線の導出方向を規制するコネクタカバーであって、
前記コネクタハウジングの後端に固定されると共に、前記コネクタハウジングの後端から導出される電線が挿通する略筒状構造のハウジング固定部材と、
前記ハウジング固定部材とは別体に形成され、前記ハウジング固定部材における電線挿通方向に沿って移動可能に前記ハウジング固定部材の後端に結合されて、前記電線挿通方向とは異なる所定方向に電線を屈曲させて導出させる電線曲げ空間を前記ハウジング固定部材との間に画成すると共に、前記電線挿通方向への移動操作により前記電線曲げ空間を拡縮可能な電線案内部材と、
を備えたことを特徴とするコネクタカバー。
【請求項２】
前記電線案内部材を、前記電線挿通方向に沿って移動可能に前記ハウジング固定部材の後端に結合する手段として、
前記電線挿通方向に所定の間隔を開けて前記ハウジング固定部材の後端側の側面上に配列された複数の案内部材係止手段と、
前記電線案内部材を前記ハウジング固定部材の後端に嵌合装着する際に前記ハウジング固定部材の後端側の側面上の前記電線挿通方向に沿って移動して、前記複数の案内部材係止手段の内の一つに係合可能に前記電線案内部材に設けられ、係合する前記案内部材係止手段を変更することで、前記ハウジング固定部材に対する前記電線案内部材の固定位置を変える固定部材係合手段と、
を備えることを特徴とする請求項１に記載のコネクタカバー。
【発明の詳細な説明】
【技術分野】
【０００１】
本発明は、コネクタハウジングの後端に取り付けられて、コネクタハウジングの後端から導出される電線の導出方向を規制するコネクタカバーに関する。
【背景技術】
【０００２】
図１８及び図１９は、下記特許文献１に開示されたコネクタカバーを示している。
このコネクタカバー１００は、コネクタハウジング１１０の後端１１１に取り付けられて、コネクタハウジング１１０の後端から導出される電線の導出方向を規制する。
【０００３】
コネクタハウジング１１０は、収容する端子金具に接続された電線が、後端１１１から矢印Ｘ１で示す方向に導出する。コネクタハウジング１１０の後端１１１の両外側面には、カバー案内リブ１１２と、カバー係止部１１３と、が備えられている。
【０００４】
カバー案内リブ１１２は、後端１１１に対するコネクタカバー１００の嵌合装着方向（図１８の矢印Ｘ１方向とは、逆方向）に沿って延在するリブ状に、後端１１１の側面に形成されている。このカバー案内リブ１１２は、コネクタカバー１００を後端１１１に嵌合装着する際に、コネクタカバー１００を嵌合方向に誘導する。
【０００５】
カバー係止部１１３は、後端１１１に対するコネクタカバー１００の嵌合装着が完了したときにコネクタカバー１００と係合して、コネクタカバー１００を固定する。
【０００６】
コネクタカバー１００は、コネクタハウジング１１０の後端に固定されるハウジング固定部１０１と、ハウジング固定部１０１の後端に一体形成された電線案内部１０２と、を備えている。
【０００７】
ハウジング固定部１０１は、コネクタハウジング１１０の後端１１１から導出する電線を収容する筒状又は樋状を成している。このハウジング固定部１０１は、コネクタハウジング１１０の後端１１１の両側面に被さる両側壁部１０１ａに、リブ係合溝１０３と、ハウジング係合部１０４と、を備えている。
【０００８】
リブ係合溝１０３は、カバー案内リブ１１２が挿入されることで、コネクタハウジング１１０に対するコネクタカバー１００の嵌合装着時におけるコネクタカバー１００の移動方向を規制する。
【０００９】
ハウジング係合部１０４は、コネクタカバー１００がコネクタハウジング１１０に対して正規の嵌合完了位置に到達したときに、カバー係止部１１３と係合することでコネクタカバー１００をコネクタハウジング１１０の後端１１１に固定する突起である。
【００１０】
コネクタハウジング１１０の後端１１１に嵌合装着されるハウジング固定部１０１には、端子押し込み突片１０６が、装備されている。
【００１１】
端子押し込み突片１０６は、コネクタカバー１００のコネクタハウジング１１０への嵌合に伴ってコネクタハウジング１１０の端子挿入孔に挿入されて、前記端子挿入孔内の中途挿入状態の端子金具を正規の挿入完了位置に押し込む。
【００１２】
電線案内部１０２は、図１８及び図１９に示すように、ハウジング固定部１０１の後方を覆って、コネクタカバー１００のコネクタハウジング１１０への嵌合方向と直交する一方側（図１８では、矢印Ｙ１に示す下方）に延出している。この電線案内部１０２は、コネクタハウジング１１０の後端から導出する電線を下方に屈曲させて導出させる電線曲げ空間をコネクタハウジング１１０の後端との間に画成する。即ち、電線案内部１０２は、コネクタハウジング１１０からの電線の導出方向を、図１８の矢印Ｙ１方向に規制する。
【先行技術文献】
【特許文献】
【００１３】
【特許文献１】特開２０００−３４８８１０号公報
【発明の概要】
【発明が解決しようとする課題】
【００１４】
ところが、特許文献１のコネクタカバー１００は、コネクタハウジング１１０の後端との間に画成する電線曲げ空間の大きさを変化させることができない。
【００１５】
そのため、コネクタハウジング１１０から導出する電線が、規定よりも電線外径が大きかったり、電線の数量が多い場合には、電線曲げ空間の大きさが不足気味となり、電線相互が強く擦れたり、電線が電線案内部１０２に強く衝突して、電線や端子金具が傷付くおそれがあった。
【００１６】
また、規定よりも電線外径が小さかったり、あるいは電線の数量が少ない場合には、電線曲げ空間の大きさが過剰気味となり、電線曲げ空間内の電線に対するコネクタカバー１００内の電線の揺れを抑止する性能が低下し、外部から電線に加わる振動や張力によって、電線相互が強く衝突したり、あるいは擦れたりして、電線や端子金具が傷付くおそれがあった。
【００１７】
即ち、特許文献１のコネクタカバー１００の場合、電線外径や数量が規定より増減すると、電線曲げ空間の過不足によって電線や端子金具が傷付くおそれがあった。
【００１８】
そこで、本発明の目的は、上記課題を解消することに係り、コネクタハウジングから導出する電線外径や数量が変わっても、電線外径や数量に相応した断面積の電線曲げ空間を前記コネクタハウジングの後方に確保することができ、前記電線曲げ空間の過不足によって電線や端子金具が傷付くことを防止することができるコネクタカバーを提供することにある。
【課題を解決するための手段】
【００１９】
本発明の前述した目的は、下記の構成により達成される。
（１）コネクタハウジングの後端に取り付けられて、前記コネクタハウジングの後端から導出される電線の導出方向を規制するコネクタカバーであって、
前記コネクタハウジングの後端に固定されると共に、前記コネクタハウジングの後端から導出される電線が挿通する略筒状構造のハウジング固定部材と、
前記ハウジング固定部材とは別体に形成され、前記ハウジング固定部材における電線挿通方向に沿って移動可能に前記ハウジング固定部材の後端に結合されて、前記電線挿通方向とは異なる所定方向に電線を屈曲させて導出させる電線曲げ空間を前記ハウジング固定部材との間に画成すると共に、前記電線挿通方向への移動操作により前記電線曲げ空間を拡縮可能な電線案内部材と、
を備えたことを特徴とするコネクタカバー。
【００２０】
（２）前記電線案内部材を、前記電線挿通方向に沿って移動可能に前記ハウジング固定部材の後端に結合する手段として、
前記電線挿通方向に所定の間隔を開けて前記ハウジング固定部材の後端側の側面上に配列された複数の案内部材係止手段と、
前記電線案内部材を前記ハウジング固定部材の後端に嵌合装着する際に前記ハウジング固定部材の後端側の側面上の前記電線挿通方向に沿って移動して、前記複数の案内部材係止手段の内の一つに係合可能に前記電線案内部材に設けられ、係合する前記案内部材係止手段を変更することで、前記ハウジング固定部材に対する前記電線案内部材の固定位置を変える固定部材係合手段と、
を備えることを特徴とする上記（１）に記載のコネクタカバー。
【００２１】
上記（１）の構成によれば、コネクタハウジングの後端に固定されるハウジング固定部材に対して、電線案内部材を移動操作することによって、コネクタカバーがコネクタハウジングの後端側に画成する電線曲げ空間を拡縮することができる。
【００２２】
従って、コネクタハウジングから導出する電線外径や数量が変わっても、電線案内部材の移動操作によって、電線外径や数量に相応した断面積の電線曲げ空間を前記コネクタハウジングの後方に確保することができ、電線曲げ空間の過不足によって電線や端子金具が傷付くことを防止することができる。
【００２３】
上記（２）の構成によれば、電線案内部材を電線挿通方向に沿って移動可能にハウジング固定部材の後端に結合する手段は、ハウジング固定部材上に配列された複数の案内部材係止手段と、電線案内部材に設けられた固定部材係合手段と、から構成されていて、電線案内部材をハウジング固定部材の後端に嵌合装着する際に、固定部材係合手段が係合する案内部材係止手段を選択することで、簡単に電線曲げ空間の断面積を調整することができ、電線外径や電線本数の変化に簡単に対応することができる。
【発明の効果】
【００２４】
本発明によるコネクタカバーによれば、コネクタハウジングの後端に固定されるハウジング固定部材に対して、電線案内部材を移動操作することによって、コネクタカバーがコネクタハウジングの後端側に画成する電線曲げ空間を拡縮することができる。
【００２５】
従って、コネクタハウジングから導出する電線外径や数量が変わっても、電線案内部材の移動操作によって、電線外径や数量に相応した断面積の電線曲げ空間を前記コネクタハウジングの後方に確保することができ、電線曲げ空間の過不足によって電線や端子金具が傷付くことを防止することができる。
【図面の簡単な説明】
【００２６】
【図１】本発明に係るコネクタカバーが取り付けられるカバー付きコネクタの一実施形態の分解斜視図である。
【図２】図１のコネクタハウジングに収容される端子金具の斜視図である。
【図３】一実施形態のコネクタカバーの分解斜視図である。
【図４】図３に示したハウジング固定部材のＡ矢視図である。
【図５】図１に示したコネクタカバーのＢ矢視図である。
【図６】図５のＣ−Ｃ断面図である。
【図７】図６のＤ部の拡大図である。
【図８】図１のコネクタハウジングに対してコネクタカバーの嵌合装着が完了した状態の斜視図である。
【図９】図８のＥ矢視図である。
【図１０】図９のＦ−Ｆ断面図である。
【図１１】図９のＧ−Ｇ断面図である。
【図１２】図１１のＨ部の拡大図である。
【図１３】図９のＩ−Ｉ断面図である。
【図１４】図１３のＪ部の拡大図である。
【図１５】コネクタハウジングに収容される電線が、図１０に示した場合よりも細径に変更された場合における電線案内部材の取り付け状態を示す縦断面図である。
【図１６】図１５のＫ−Ｋ断面図である。
【図１７】図１６のＬ部の拡大図である。
【図１８】従来のコネクタカバーを備えたカバー付きコネクタの組立前の状態の側面図である。
【図１９】図１８に示したカバー付きコネクタの組立後の側面図である。
【発明を実施するための形態】
【００２７】
以下、本発明に係るコネクタカバーの好適な実施形態について、図面を参照して詳細に説明する。
【００２８】
図１〜図１７は本発明に係るコネクタカバーが取り付けられるカバー付きコネクタの一実施形態を示したもので、図１は一実施形態のカバー付きコネクタの分解斜視図、図２は図１のコネクタハウジングに収容される端子金具の斜視図、図３は一実施形態のコネクタカバーの分解斜視図、図４は図３に示したハウジング固定部材のＡ矢視図、図５は図１に示したコネクタカバーのＢ矢視図、図６は図５のＣ−Ｃ断面図、図７は図６のＤ部の拡大図、図８は図１のコネクタハウジングに対してコネクタカバーの嵌合装着が完了した状態の斜視図、図９は図８のＥ矢視図、図１０は図９のＦ−Ｆ断面図、図１１は図９のＧ−Ｇ断面図、図１２は図１１のＨ部の拡大図、図１３は図９のＩ−Ｉ断面図、図１４は図１３のＪ部の拡大図、図１５はコネクタハウジングに収容される電線が、図１０に示した場合よりも細径に変更された場合における電線案内部材の取り付け状態を示す縦断面図、図１６は図１５のＫ−Ｋ断面図、図１７は図１６のＬ部の拡大図である。
【００２９】
この一実施形態のコネクタカバー１は、コネクタハウジング２０の後端２１に取り付けられて、コネクタハウジング２０の後端２１から導出される電線４０の導出方向を規制する。
【００３０】
コネクタカバー１が取り付けられるコネクタハウジング２０は、複数個の端子収容孔２２が、後端２１から前端に向かって、貫通形成されている。端子収容孔２２には、図２に示すように電線４０の端部に圧着接続された端子金具３０が、挿入装着される。端子収容孔２２内には、図１０に示すように、ランス２３が設けられている。ランス２３は、規定の嵌合完了位置まで挿入された端子金具３０を係止して、端子金具３０を抜け止めする。
【００３１】
コネクタカバー１は、収容する端子金具３０に接続された電線４０が、図１に示すように、後端２１から矢印Ｙ２で示す方向に導出する。矢印Ｙ２の方向は、端子収容孔２２の貫通方向と直交する垂直上方に向かう方向である。コネクタカバー１の後端２１の両外側面には、カバー案内リブ２５と、カバー係止部２６と、が備えられている。
【００３２】
カバー案内リブ２５は、後端２１に対するコネクタカバー１の嵌合装着方向（図１の矢印Ｘ２方向）に沿って延在するリブ状に、後端２１の側面に形成されている。このカバー案内リブ２５は、コネクタカバー１００を後端２１に嵌合装着する際に、コネクタカバー１００を嵌合方向に誘導する。
【００３３】
カバー係止部２６は、後端２１に対するコネクタカバー１の嵌合装着が完了したときにコネクタカバー１と係合して、コネクタカバー１を固定する。
【００３４】
本実施形態のコネクタカバー１は、図３に示すように、コネクタハウジング２０の後端２１に固定されるハウジング固定部材２１０と、ハウジング固定部材２１０の後端２１１に取り付けられる電線案内部材２２０と、を備えている。
【００３５】
ハウジング固定部材２１０は、コネクタハウジング２０の後端２１から導出する電線が方向を変えずに挿通する略筒状構造を成している。図３及び図１０における矢印Ｘ３は、ハウジング固定部材２１０における電線挿通方向を示している。
【００３６】
本実施形態のハウジング固定部材２１０は、図１及び図３に示すように、その前端側に、端子押し込み突片２１４と、リブ係合溝２１５と、ハウジング係合部２１６と、を備えている。
【００３７】
端子押し込み突片２１４は、ハウジング固定部材２１０のコネクタハウジング１１０への嵌合に伴って、コネクタカバー１の端子収容孔２２に挿入されて、端子収容孔２２内の中途挿入状態の端子金具３０を正規の挿入完了位置に押し込む。
【００３８】
上記のリブ係合溝２１５とハウジング係合部２１６は、コネクタハウジング２０の後端２１の両側面に被さる前端側の両側壁部２１７に、形成されている。
【００３９】
リブ係合溝２１５は、カバー案内リブ２５が挿入されることで、コネクタハウジング２０に対するハウジング固定部材２１０の嵌合装着時におけるハウジング固定部材２１０の移動方向を嵌合方向に規制する。
【００４０】
ハウジング係合部２１６は、図１１及び図１２に示すように、ハウジング固定部材２１０がコネクタハウジング２０に対して正規の嵌合完了位置に到達したときに、カバー係止部２６と係合することで、ハウジング固定部材２１０をコネクタハウジング２０の後端２１に固定する突起である。
【００４１】
電線案内部材２２０は、ハウジング固定部材２１０とは別体に形成された部材である。
この電線案内部材２２０は、図６に示すように、ハウジング固定部材２１０の後端２１１に結合されて、後端２１１との間に、電線曲げ空間２３０を画成する。電線曲げ空間２３０は、ハウジング固定部材２１０における電線挿通方向とは異なる所定方向に電線４０を屈曲させて導出させる空間である。本実施形態の場合、電線曲げ空間２３０は、図１０に示すように、ハウジング固定部材２１０における電線挿通方向（図１０の矢印Ｘ３方向である）と直交する垂直上方（図１０の矢印Ｙ３方向である）に、電線４０を導出する。
【００４２】
本実施形態の電線案内部材２２０は、ハウジング固定部材２１０における電線挿通方向に沿って移動可能にハウジング固定部材２１０の後端に結合される。
【００４３】
本実施形態では、電線案内部材２２０をハウジング固定部材２１０における電線挿通方向に沿って移動可能にハウジング固定部材２１０の後端に結合する手段として、複数の案内部材係止手段２４０と、固定部材係合手段２４１と、を備えている。
【００４４】
案内部材係止手段２４０は、本実施形態の場合、係止突起である。複数の案内部材係止手段２４０は、図４〜図７に示すように、ハウジング固定部材２１０の後端２１１側の側面上に、電線挿通方向に所定の間隔を開けて配列されている。
【００４５】
また、本実施形態の場合、複数の案内部材係止手段２４０は、図４に示すように、後端２１１の各側面に、上部列Ｌ１と、下部列Ｌ２の上下２列に配列されている。上部列Ｌ１及び下部列Ｌ２は、互いに平行な列である。
【００４６】
固定部材係合手段２４１は、図３に示すように、複数の案内部材係止手段２４０が並ぶ上部列Ｌ１及び下部列Ｌ２に対応するように、電線案内部材２２０の各側縁に２個設けられている。固定部材係合手段２４１は、電線案内部材２２０の側縁から延出する弾性片２４１ａの先端に、案内部材係止手段２４０と係合可能な凸部２４１ｂを突設した構造である。
【００４７】
弾性片２４１ａは、ハウジング固定部材２１０における電線挿通方向に沿って電線案内部材２２０の側縁からハウジング固定部材２１０側に突出している。
【００４８】
本実施形態の固定部材係合手段２４１は、電線案内部材２２０をハウジング固定部材２１０の後端に嵌合装着する際にハウジング固定部材２１０の後端側の側面上の電線挿通方向に沿って移動して、複数の案内部材係止手段２４０の内の一つに係合可能に電線案内部材２２０に設けられている。本実施形態のコネクタカバー１では、固定部材係合手段２４１が係合する案内部材係止手段２４０を変更することで、ハウジング固定部材２１０に対する電線案内部材２２０の固定位置を変えることができる。
【００４９】
本実施形態のコネクタカバー１の場合、ハウジング固定部材２１０に対する電線案内部材２２０の固定位置を変えることで、ハウジング固定部材２１０と電線案内部材２２０との間の電線曲げ空間２３０が拡縮される。
【００５０】
図１０〜図１４は、コネクタハウジング２０から導出する電線４０の外径や数量が基準よりも大きい場合における電線案内部材２２０の取り付け状態を示したものである。この場合、電線案内部材２２０は、図１３及び図１４に示すように、固定部材係合手段２４１を、ハウジング固定部材２１０上の一番手前（電線案内部材２２０に近い側）の案内部材係止手段２４０に係合させることで、基準よりも大きな横断面積の電線曲げ空間２３０を得ている。そのため、電線４０の外径や数量が基準よりも大きくても、電線案内部材２２０との当接によって電線４０に過大な押圧荷重や曲げ荷重等が作用することがなく、電線曲げ空間２３０として、各電線４０の曲げに必要十分な容積を確保することができている。
【００５１】
図１５〜図１７は、コネクタハウジング２０から導出する電線４０の外径や数量が基準よりも小さい場合における電線案内部材２２０の取り付け状態を示したものである。この場合、電線案内部材２２０は、図１６及び図１７に示すように、固定部材係合手段２４１を、ハウジング固定部材２１０上の一番奥（電線案内部材２２０から遠い側）の案内部材係止手段２４０に係合させることで、基準よりも小さな横断面積の電線曲げ空間２３０を得ている。そのため、電線４０の外径や数量が基準よりも小さくても、電線４０の周囲に余分な空間が発生することがなく、電線曲げ空間２３０として、各電線４０の曲げに必要十分な容積を確保することができている。
【００５２】
以上に説明した一実施形態のコネクタカバー１の構成によれば、コネクタハウジング２０の後端に固定されるハウジング固定部材２１０に対して、電線案内部材２２０を移動操作することによって、コネクタカバー１がコネクタハウジング２０の後端側に画成する電線曲げ空間２３０を拡縮することができる。
【００５３】
従って、コネクタハウジング２０から導出する電線外径や数量が変わっても、電線案内部材２２０の移動操作によって、電線外径や数量に相応した断面積の電線曲げ空間２３０を前記コネクタハウジング２０の後方に確保することができ、電線曲げ空間２３０の過不足によって電線４０や端子金具が傷付くことを防止することができる。
【００５４】
また、以上に説明した一実施形態のコネクタカバー１の構成によれば、電線案内部材２２０を電線挿通方向に沿って移動可能にハウジング固定部材２１０の後端に結合する手段は、ハウジング固定部材２１０上に配列された複数の案内部材係止手段２４０と、電線案内部材２２０に設けられた固定部材係合手段２４１と、から構成されていて、電線案内部材２２０をハウジング固定部材２１０の後端に嵌合装着する際に、固定部材係合手段２４１が係合する案内部材係止手段２４０を選択することで、簡単に電線曲げ空間２３０の断面積を調整することができ、電線外径や電線４０本数の変化に簡単に対応することができる。
【００５５】
更に、以上に説明した一実施形態のコネクタカバー１の構成によれば、複数の案内部材係止手段２４０は、図４に示したように、ハウジング固定部材２１０の両側面において、上下方向に離間した上部列Ｌ１及び下部列Ｌ２の２列に配置している。そして、これらの案内部材係止手段２４０に係合する固定部材係合手段２４１も、電線案内部材２２０の両側縁において、上下に離間した２箇所に配置している。
【００５６】
即ち、案内部材係止手段２４０と固定部材係合手段２４１との係合が、ハウジング固定部材２１０の両側面上の上下に離間した２箇所で行われるため、電線案内部材２２０を強固にハウジング固定部材２１０へ固定することができ、電線案内部材２２０による電線４０の導出方向の規制を安定させることができる。
【００５７】
なお、本発明のコネクタカバーは、前述した実施形態に限定されるものでなく、適宜、変形、改良等が可能である。
【００５８】
例えば、ハウジング固定部材２１０における電線挿通方向に間隔を開けて配列する案内部材係止手段２４０の数量は、前述の実施形態に限るものではなく、２以上の任意の数量に設定することができる。
【００５９】
また、電線案内部材をハウジング固定部材における電線挿通方向に沿って移動可能にハウジング固定部材の後端に結合する手段の具体的な構造は、前述の実施形態の構造に限らない。例えば、ねじによる送り機構によって電線案内部材とハウジング固定部材との間隔を調整可能にしてもよい。
【符号の説明】
【００６０】
１  コネクタカバー
２０  コネクタハウジング
２１  後端
４０  電線
２１０  ハウジング固定部材
２１１  後端
２２０  電線案内部材
２３０  電線曲げ空間
２４０  案内部材係止手段
２４１  固定部材係合手段
【図１】
2013110025.tif 000003
【図２】
2013110025.tif 000004
【図３】
2013110025.tif 000005
【図４】
2013110025.tif 000006
【図５】
2013110025.tif 000007
【図６】
2013110025.tif 000008
【図７】
2013110025.tif 000009
【図８】
2013110025.tif 000010
【図９】
2013110025.tif 000011
【図１０】
2013110025.tif 000012
【図１１】
2013110025.tif 000013
【図１２】
2013110025.tif 000014
【図１３】
2013110025.tif 000015
【図１４】
2013110025.tif 000016
【図１５】
2013110025.tif 000017
【図１６】
2013110025.tif 000018
【図１７】
2013110025.tif 000019
【図１８】
2013110025.tif 000020
【図１９】
2013110025.tif 000021